【手続補正書】
【提出日】平成23年9月8日(2011.9.8)
【手続補正１】
【補正対象書類名】特許請求の範囲
【補正対象項目名】全文
【補正方法】変更
【補正の内容】
【特許請求の範囲】
【請求項１】
携帯型通信機器を利用して、プロセス制御環境内の要素にアクセスする方法であって、
前記プロセス制御環境内で複数の制御領域を定義し、
１つ以上の前記制御領域に対し携帯型通信機器を操作するユーザの位置を決定し、
ユーザのアイデンティティを確立し、
前記１つ以上の制御領域に対し決定されたユーザの位置及びユーザのアイデンティティに応じて、前記携帯型通信機器によるプロセス制御環境内の要素にユーザがアクセスすることを選択的に許可する、
ことを含む方法。
【請求項２】
携帯型通信機器を操作するユーザの位置を決定することは、ユーザの位置を前記携帯型通信機器の位置と関連付けること、及び、前記携帯型通信機器の位置を決定することを含む請求項１記載の方法。
【請求項３】
携帯型通信機器を操作するユーザの位置を決定することは、ユーザの位置をユーザが携帯する電子タグの位置と関連付けること、及び、前記電子タグの位置を決定することを含む請求項１記載の方法。
【請求項４】
前記電子タグの位置を決定することは、静止要素により送信される信号によって電子タグ内の回路を起動することを含む請求項３記載の方法。
【請求項５】
前記プロセス制御環境内の要素にユーザがアクセスすることを選択的に許可することは、前記１つ以上の制御領域に対し決定されたユーザの位置に応じて、前記要素に関連する構成データにユーザがアクセスすることを選択的に許可することを含む請求項１記載の方法。
【請求項６】
前記プロセス制御環境内の要素にユーザがアクセスすることを選択的に許可することは、ユーザが前記要素と同一の制御領域内にいると決定された場合に、前記要素内のデータにユーザがアクセスすることを選択的に許可することを含む請求項１記載の方法。
【請求項７】
複数の制御領域を定義することは、複数の地理座標によって定義される地理的領域に各制御領域を関連付けることを含む請求項１記載の方法。
【請求項８】
前記地理座標はグローバルポジショニングサービス（ＧＰＳ）座標である請求項７記載の方法。
【請求項９】
複数の制御領域を定義することは、前記複数の制御領域の各々を少なくとも１つの領域通信機器に関連付けること、及び、各制御領域を、携帯型通信機器が前記制御領域に関連付けられた少なくとも１つの領域通信機器との間にワイヤレス通信を確立しうる地理的領域として定義することを含む請求項１記載の方法。
【請求項１０】
各制御領域を定義することは、所定のもしくはそれを上回る信号レベルの検索信号を検知することにより、携帯型通信機器が少なくとも１つの領域通信機器との間にワイヤレス通信を確立しうる地理的領域として各制御領域を定義することを含み、
前記検索信号は前記携帯型通信機器又は前記領域通信機器のいずれか一方から発せられ、前記携帯型通信機器及び前記領域通信機器の他方によって検知される、請求項９記載の方法。
【請求項１１】
前記１つ以上の前記制御領域に対し携帯型通信機器を操作するユーザの位置を決定することは、前記ユーザの位置を前記携帯型通信機器の位置と関連付けること、前記携帯型通信機器によって１台以上のトランシーバの各々から検索信号を検出すること、及び、前記受信された検索信号の各々の強度を測定することを含む請求項１記載の方法。
【請求項１２】
前記プロセス制御環境内で複数の制御領域を定義することは、前記複数の制御領域の各々において少なくとも１つのバーコードタグを配置することを含み、前記１つ以上の制御領域に対しユーザの位置を決定することは、ユーザの位置を前記携帯型通信機器の位置と関連付けること、及び、前記携帯型通信機器によって前記バーコードタグを走査することを含む請求項１記載の方法。
【請求項１３】
前記プロセス制御環境内の要素にユーザがアクセスすることを許可することは、前記携帯型通信機器と前記要素との間に直接的な通信リンクを確立することを含む請求項１記載の方法。
【請求項１４】
ユーザのアイデンティティを確立することは、前記携帯型通信機器を利用してユーザから識別情報を取得すること、ユーザの前記識別情報と関連付けられたデータと前記プロセス制御環境の１つ以上の要素に対するユーザの許可レベルとを有するレコードを検索すること、及び、前記検索されたレコード内の前記データに基づいて、前記要素への前記携帯型通信機器によるアクセスを制限することを含む請求項１記載の方法。
【請求項１５】
前記１つ以上の制御領域に対して決定されたユーザの位置に応じて、前記プロセス制御環境内の前記要素に関連付けられた事象の前記携帯型通信機器を通じて選択的にユーザに通知することを更に含む請求項１記載の方法。
【請求項１６】
ユーザの位置が、事象が関連付けられた前記制御領域の少なくとも１つの中であることが決定されると、携帯型通信機器を介して、前記要素と関連付けられた事象に関する通知をユーザに提供し、ユーザの位置が、前記事象が関連付けられた前記制御領域のうちの１つの外側であることが決定されると、前記要素と関連付けられた事象に関する通知をユーザに提供しないことを更に含む、請求項１記載の方法。
【請求項１７】
通信ネットワークを通じて相互に接続された複数のデバイスを有するプロセス環境で使用されるアクセス制御システムであって、
前記プロセス環境に配置され、前記通信ネットワークに通信接続された第一のワイヤレストランシーバと、
処理装置、コンピュータ可読メモリ、グラフィック表示ユニット、入力デバイス及び第二のワイヤレストランシーバを有するハンドヘルド通信機器であって、前記ハンドヘルド通信機器は前記第一及び第二のトランシーバを通じて前記通信ネットワークと通信する、ハンドヘルド通信機器と、
前記プロセス環境と関連付けられた複数の制御領域を示す制御領域データを格納する第一のデータベースと、
１人以上のユーザと関連する認証データを格納する第二のデータベースと、
前記携帯型通信機器を操作しているユーザに、１つ以上の前記制御領域に関するユーザの位置に応じて、及びユーザに対応する前記認証データに応じて、前記複数のデバイスの１台以上と関連付けられたデータ又は機能へのアクセスを提供するアクセスコントローラと、
を有するアクセス制御システム。
【請求項１８】
前記アクセスコントローラは、１つ以上の前記制御領域に関する前記携帯型通信機器の位置を決定し、ユーザの位置を前記携帯型通信機器の位置に関連付けるためのポジショナを含む請求項１７記載のシステム。
【請求項１９】
前記ハンドヘルド通信機器は更にグローバルポジショニングサービス（ＧＰＳ）ユニットを含む請求項１８記載のシステム。
【請求項２０】
前記電子デバイスの位置を確立するための回路を有する携帯型電子デバイスを更に含み、前記アクセスコントローラは携帯型電子デバイスを携行するユーザの位置を前記電子デバイスの位置と関連付けた請求項１７記載のシステム。
【請求項２１】
携帯型電子デバイスは、ＷｉＦｉ規準、ＷｉＭａｘリアルタイムロケーションシステム（ＲＴＬＳ）規準と整合性を有する技術、ウルトラワイドバンド（ＵＷＢ）技術又はグローバルポジショニングサービス（ＧＰＳ）システムの少なくとも１つをサポートする電子タグである請求項２０記載のシステム。
【請求項２２】
前記データベースは各地理的領域の地理的特性を格納する請求項１７記載のシステム。
【請求項２３】
少なくとも１つの制御領域に関するユーザの位置を推測するための、前記アクセスコントローラに通信接続されたロケーションアプライアンスを更に含む請求項１７記載のシステム。
【請求項２４】
プロセスプラント内のプロセス制御環境で使用される制御システムであって、該制御システムは、
前記プロセス制御環境内の１つ以上の制御又は測定活動を行うべく前記プロセス制御環境中で分配された複数の制御デバイスと、
前記プロセス制御環境内に配置され、前記複数の制御デバイスの前記少なくとも１つに通信接続された第一のワイヤレストランシーバと、
前記複数の制御デバイスの少なくとも１つに通信接続された、処理装置及びコンピュータ可読メモリを有するホストと、
処理装置、コンピュータ可読メモリ、グラフィック表示ユニット、入力デバイス及び第二のワイヤレストランシーバを有するハンドヘルド通信機器であって、前記ハンドヘルド通信機器は第一及び第二のトランシーバを通じて前記複数の制御デバイスの前記少なくとも１つと通信すべく動作する、ハンドヘルド通信機器と、
前記複数の制御デバイスの各々と１つ以上の制御領域との関連を格納するデータベースであって、各制御領域は少なくとも１つの地理的領域と関連付けられている、データベースと、
制御領域に対する、前記ハンドヘルド通信機器を操作しているユーザの物理的位置を決定し、前記ハンドヘルド通信機器の前記物理的位置が前記複数のデバイスの少なくとも１つが関連付けられている前記制御領域の各々の外部である場合に前記複数のデバイスの少なくとも１つに関するデータにユーザがアクセスすることを防止するアクセス制御システムと、
を含む制御システム。
【請求項２５】
前記アクセス制御システムは、前記ハンドヘルド通信機器の前記物理的位置が前記複数のデバイスの少なくとも１つがが関連付けられている前記制御領域の少なくとも１つの中にある場合に、前記複数のデバイスの少なくとも１つに関するデータにユーザがアクセスすることを選択的に可能とする請求項２４記載のシステム。
【請求項２６】
前記ホストは前記複数のデバイスの少なくとも１つの動作を示すデータを受け取り、前記データを前記複数のデバイスの少なくとも１つが関連付けられた前記制御領域の１つの中にいる少なくとも１人のユーザに向ける請求項２５記載のシステム。
【請求項２７】
前記ホストは、ユーザと関連付けられたデータレコードに基づき、前記ハンドヘルド通信機器と関連付けられたユーザが前記データにアクセスすることを認証されているか否かを判断する請求項２６記載のシステム。
【請求項２８】
前記ホストは、多数のユーザのいずれが前記複数のデバイスの少なくとも１つが関連付けられた前記制御領域のうちの１つの中にいるかを判断し、前記多数のユーザの前記１人以上の前記複数のデバイスの前記少なくとも１つに対する物理的近接に基づいて、前記多数のユーザのうち、前記複数のデバイスの前記少なくとも１つの動作を示すデータを送るべき１人以上を選択する請求項２６記載のシステム。